(57)【要約】  本発明に係る蓄電池システムは、第１及び第２ＰＣＳを備える。第１ＰＣＳは第１の蓄電池に充放電する。第２ＰＣＳは第２の蓄電池に充放電する。第２蓄電池は第１蓄電池よりも寿命が短い。制御装置は、充放電要求と蓄電池情報とに基づいて第１及び第２ＰＣＳを制御する。制御装置はＳＯＣ補正部と充放電指令部を備える。ＳＯＣ補正部は、第１及び第２の蓄電池のＳＯＣを算出し、充放電要求が充電要求である場合に第２の蓄電池のＳＯＣを上方に補正し、放電要求である場合に第２の蓄電池のＳＯＣを下方に補正する。充放電指令部は、充放電要求が充電要求である場合にＳＯＣが低い蓄電池から優先的に充電させ、放電要求である場合にＳＯＣが高い蓄電池から優先的に放電させるように充放電指令を決定する。
2016067341.tif 000002
【特許請求の範囲】
【請求項１】
電力系統に接続される蓄電池システムであって、前記電力系統の電力需給を管理するエネルギーマネジメントシステムからの充放電要求に基づいて動作する蓄電池システムにおいて、
第１の蓄電池と、
前記第１の蓄電池よりも寿命が短い第２の蓄電池と、
前記第１の蓄電池の状態を監視する第１蓄電池監視装置と、
前記第２の蓄電池の状態を監視する第２蓄電池監視装置と、
前記電力系統の交流電力を直流電力に変換して前記第１の蓄電池に充電する機能と、前記第１の蓄電池の直流電力を交流電力に変換して前記電力系統に放電する機能とを有する第１交直変換装置と、
前記電力系統の交流電力を直流電力に変換して前記第２の蓄電池に充電する機能と、前記第２の蓄電池の直流電力を交流電力に変換して前記電力系統に放電する機能とを有する第２交直変換装置と、
前記充放電要求と前記第１及び第２蓄電池監視装置から供給される蓄電池情報とを受信し、前記充放電要求と前記蓄電池情報とに基づいて前記第１及び第２交直変換装置を制御する制御装置と、を備え、
前記制御装置は、
前記蓄電池情報に基づいて前記第１及び第２の蓄電池のＳＯＣ（Ｓｔａｔｅ  Ｏｆ  Ｃｈａｒｇｅ）を算出し、前記充放電要求が充電要求である場合、第２の蓄電池のＳＯＣを上方に補正し、前記充放電要求が放電要求である場合、第２の蓄電池のＳＯＣを下方に補正するＳＯＣ補正部と、
前記充放電要求が充電要求である場合、ＳＯＣが低い蓄電池から優先的に充電させ、前記充放電要求が放電要求である場合、ＳＯＣが高い蓄電池から優先的に放電させるように、前記第１及び第２交直変換装置に対する充放電指令を決定する充放電指令部と、を備えること、
を特徴とする蓄電池システム。
【発明の詳細な説明】
【技術分野】
【０００１】
この発明は、電力系統に接続される蓄電池システムに関する。
【背景技術】
【０００２】
電力系統は、発電設備と負荷設備とを送配電設備によって接続することで構築されている。電力系統には、複数の大規模発電所と多数の工場や商業施設及び家庭とを接続する大規模なシステムから、特定の施設内で構築される小規模なシステムまで様々な規模のものが存在する。いずれの規模の電力系統においても、電力系統全体の電力需給を管理するエネルギーマネジメントシステム（ＥＭＳ）が備えられ、ＥＭＳによって発電設備による電力の供給と負荷設備による電力の需要とをバランスさせることが行われている。【０００３】
蓄電池システムは、上記のような電力系統に接続されて、電力需給をバランスさせるための１つの手段として用いられる。かつては、大量の電力の貯蔵は困難であるとされていたが、リチウムイオン電池やナトリウム硫黄電池のような大容量の蓄電池が実用化されたことによって、大量の電力の貯蔵が可能になった。このような蓄電池を備えた蓄電池システムを電力系統に接続することにより、電力の需要に対して供給が過大なときには、過剰な電力を蓄電池に充電し、電力の需要に対して供給が不足するときには、蓄電池からの放電により電力の不足を補填するといった運用をとることができる。【０００４】
このような蓄電池システムの好適な用途の一例が、太陽光や風力等の自然エネルギーを利用した発電設備との組み合わせである。自然エネルギーを利用した発電設備は、昨今のエネルギー問題あるいは環境問題に対する意識の高まりをうけて広く導入されつつある。しかし、自然エネルギーを利用した発電設備には、季節や天候等の自然的要因によって発電電力が左右されやすいために安定した電力供給を行えないという短所がある。蓄電池システムは、この短所を補うことのできるシステムであり、自然エネルギーを利用した発電設備に蓄電池システムを組み合わせることで安定した電力供給を行うことが可能になる。【０００５】
蓄電池システムを電力系統に接続する場合、蓄電池システムの動作は前述のＥＭＳによって管理される。蓄電池システムは、蓄電池に接続された交直変換装置（ＰＣＳ）を備える。ＰＣＳは、電力系統の交流電力を直流電力に変換して蓄電池に充電する機能と、蓄電池の直流電力を交流電力に変換して電力系統に放電する機能とを有している。ＥＭＳからＰＣＳに対して充放電要求が供給され、ＰＣＳが充放電要求に従って動作することで、電力系統から蓄電池への受電、あるいは、蓄電池から電力系統への放電が達成される。なお、ＥＭＳからＰＣＳに供給される充放電要求は、電力系統全体において電力の需給をバランスさせるように決定される。【０００６】
なお、出願人は、本発明に関連するものとして、以下に記載する文献を認識している。日本特開２０１４−１２４０６３号公報の図１には、電力系統に接続された複数のＰＣＳを備える蓄電池システムの一例が描かれている。
【先行技術文献】
【特許文献】
【０００７】
【特許文献１】日本特開２０１４−１２４０６３号公報
【発明の概要】
【発明が解決しようとする課題】
【０００８】
ところで、蓄電池システムの大規模化・多様化により、ＰＣＳ間で異なるメーカーの蓄電池が用いられる場合がある。メーカーが異なれば蓄電池の寿命も様々である。このような蓄電池システムにおいて、各ＰＣＳに同じ充放電指令を出せば、低寿命の蓄電池のほうが早く劣化し寿命が尽きてしまう。一部の蓄電池の寿命が尽きてしまえば、蓄電池システム全体としての最大充放電量も低下してしまう。そのため、各蓄電池の劣化の程度が同等になるように運用することが望まれる。【０００９】
本発明は、上述のような課題を解決するためになされたもので、ＰＣＳ間で蓄電池の寿命が異なる蓄電池システムにおいて、寿命の長い蓄電池にはより多くの充放電を行わせ、各蓄電池の交換時期が同時期になるように充放電を管理することができる蓄電池システムを提供することを目的とする。
【課題を解決するための手段】
【００１０】
上記目的の達成のため、本発明に係る蓄電池システムは以下のように構成される。【００１１】
本発明に係る蓄電池システムは電力系統に接続され、電力系統の電力需給を管理するＥＭＳからの充放電要求に基づいて動作するように構成される。本発明に係る蓄電池システムが接続される電力系統の規模や構成には限定はない。【００１２】
本発明に係る蓄電池システムは、第１の蓄電池、第２の蓄電池、第１蓄電池監視装置、第２蓄電池監視装置、第１ＰＣＳ、第２ＰＣＳ、および、制御装置を備える。蓄電池の数、蓄電池監視装置の数、ＰＣＳの数は３以上であってもよい。【００１３】
第１及び第２の蓄電池は、単一の蓄電池モジュールで構成されていてもよいし、複数の蓄電池モジュールが並列接続されて構成されていてもよい。蓄電池モジュールは、単一の蓄電池セルで構成されていてもよいし、複数の蓄電池セルの集合体として構成されていてもよい。蓄電池の種類としては、リチウムイオン電池やナトリウム硫黄電池やニッケル水素電池等の大容量の蓄電池が好ましい。第２の蓄電池は、第１の蓄電池よりも寿命が短い。寿命は蓄電池の仕様に基づく。寿命はサイクル数で表される場合もある。サイクル数は、満充電状態まで充電しその後空状態まで放電することを１サイクルとして何サイクル充放電できるかを示す指標である。【００１４】
第１及び第２蓄電池監視装置は、蓄電池の状態を監視する装置である。蓄電池監視装置は、蓄電池に対して１つ設けられてもよいし、蓄電池モジュールに対して１つ設けられてもよい。蓄電池監視装置による監視項目としては、例えば、電流、電圧、温度等の状態量を挙げることができる。蓄電池監視装置は、監視項目である状態量をセンサによって常時或いは所定の周期で計測し、得られたデータの一部或いは全部を蓄電池情報として外部に出力する。【００１５】
第１及び第２ＰＣＳは、電力系統に蓄電池を接続する装置であり、電力系統の交流電力を直流電力に変換して第１及び第２の蓄電池に充電する機能と、第１及び第２の蓄電池の直流電力を交流電力に変換して電力系統に放電する機能とを有している。ＰＣＳはパワーコンディショナーとも呼ばれ、蓄電池への充電電力量、及び蓄電池からの放電電力量は、ＰＣＳによって調整される。【００１６】
制御装置は、ＥＭＳと第１及び第２ＰＣＳとの間に介在する装置である。ＥＭＳから蓄電池システムに供給される充放電要求は、この制御装置が受信する。制御装置は、充放電要求とともに第１及び第２蓄電池監視装置から供給される蓄電池情報を受信し、充放電要求と蓄電池情報とに基づいて第１及び第２ＰＣＳを制御するように構成される。【００１７】
制御装置は、ＳＯＣ（Ｓｔａｔｅ  Ｏｆ  Ｃｈａｒｇｅ）補正部と充放電指令部とを備える。ＳＯＣ補正部は、蓄電池情報に基づいて第１及び第２の蓄電池のＳＯＣを算出し、充放電要求が充電要求である場合、第２の蓄電池のＳＯＣを上方に補正し、充放電要求が放電要求である場合、第２の蓄電池のＳＯＣを下方に補正する。なお、ＳＯＣは、蓄電池の満充電に対する充電率を意味する。【００１８】
充放電指令部は、充放電要求が充電要求である場合、ＳＯＣが低い蓄電池から優先的に充電させ、前記充放電要求が放電要求である場合、ＳＯＣが高い蓄電池から優先的に放電させるように、第１及び第２ＰＣＳに対する充放電指令を決定する。【００１９】
なお、３台以上のＰＣＳを備える蓄電池システムにおいては、３つの蓄電池のうち、任意の２つについて、相対的に蓄電池の寿命が長いものを第１の蓄電池、寿命が短いものを第２の蓄電池とみなすことができる。
【発明の効果】
【００２０】
本発明に係る蓄電池システムによれば、ＰＣＳ間で蓄電池の寿命が異なる蓄電池システムにおいて、寿命の長い蓄電池にはより多くの充放電を行わせ、各蓄電池の交換時期が同時期になるように充放電を管理することができる。
【図面の簡単な説明】
【００２１】
【図１】本発明の実施の形態１に係るシステム構成を説明するための概念構成図である。
【図２】本発明の実施の形態１に係るシステムのブロック図である。
【図３】本発明の実施の形態１において充放電指令部７による具体的な計算例を説明するための図である。
【図４】ＥＭＳ３からの充放電要求に基づく充放電制御を実現するために、蓄電池システム１が実行する制御ルーチンのフローチャートである。
【図５】本発明の実施の形態１に係るシステム構成の変形例について説明するための概念構成図である。
【発明を実施するための形態】
【００２２】
以下、図面を参照して本発明の実施の形態について詳細に説明する。尚、各図において共通する要素には、同一の符号を付して重複する説明を省略する。
【００２３】
実施の形態１．
［実施の形態１のシステム構成］
図１は、本発明の実施の形態１に係るシステム構成を説明するための概念構成図である。図１に示す蓄電池システム１は、電力系統の送電設備２に接続される。電力系統には、送電設備２の他、送電設備２に接続された発電設備（図示省略）、送電設備２に接続された負荷設備（図示省略）が含まれる。蓄電池システム１は、コンピュータネットワーク５１により遠方のエネルギーマネジメントシステム（以下、ＥＭＳ）３に接続される。ＥＭＳ３は、発電設備の発電量、蓄電池システム１の充放電量、負荷設備の受電量など、電力系統の電力需給を管理する。
【００２４】
蓄電池システム１は、第１交直変換装置（以下、ＰＣＳ）１１、第２ＰＣＳ１２、第１の蓄電池２１、第２の蓄電池２２、第１蓄電池監視装置（以下、ＢＭＵ：Ｂａｔｔｅｒｙ  Ｍａｎａｇｅｍｅｎｔ  Ｕｎｉｔ）３１、第２ＢＭＵ３２、および制御装置４を備える。
【００２５】
蓄電池システム１は、複数のＰＣＳを備える。以下説明容易のため、１つのＰＣＳとそのＰＣＳに接続される蓄電池とＢＭＵとから構成されるグループを「ＰＣＳグループ」と称する。各ＰＣＳグループの基本構成は同様であるため、ここでは、第１のＰＣＳグループを例示して説明する。なお、図１では、２つのＰＣＳグループが描画されているが、ＰＣＳグループは３つ以上であってもよい。
【００２６】
第１のＰＣＳグループは、第１ＰＣＳ１１を備える。第１ＰＣＳ１１は、第１の蓄電池２１に接続される。第１の蓄電池２１は、蓄電池モジュール２１１〜２１３が並列接続されてなる。図１では、蓄電池モジュールは３列であるが、これは単なる一例である。蓄電池モジュールの並列数はＰＣＳの仕様に基づいて定められる。よって、蓄電池モジュールの並列数が１列になることもあり得る。
【００２７】
各蓄電池モジュール２１１〜２１３は、複数のセルが直列に接続されたモジュールである。各セルは、リチウムイオン電池（ＬｉＢ）である。なお、第１の蓄電池２１において、蓄電池モジュール２１１〜２１３の最大蓄電容量および寿命（サイクル数）は同じである。
【００２８】
蓄電池モジュール２１１〜２１３は、信号線により第１ＢＭＵ３１に接続される。第１ＢＭＵ３１は、コンピュータネットワーク５３により制御装置４に接続される。図１では、１つの蓄電池モジュールに対して１つのＢＭＵが接続されているが、これは単なる一例である。蓄電池に対して１つのＢＭＵが接続されてもよい。
【００２９】
ＢＭＵ３１は、第１の蓄電池２１の状態を監視する。具体的には、第１ＢＭＵ３１は、蓄電池モジュール２１１〜２１３の状態量を計測する手段として電流センサ、電圧センサ、及び温度センサを備える。電流センサによって蓄電池モジュール２１１〜２１３に流れる電流が計測される。電圧センサによって蓄電池モジュール２１１〜２１３の電圧が計測される。そして、温度センサによって蓄電池モジュール２１１〜２１３の温度が計測される。第１ＢＭＵ３１による蓄電池モジュール２１１〜２１３の監視は常時行われる。ただし、本実施の形態でいう常時監視とは、センサから絶え間のない連続した信号を取り込む動作だけでなく、所定の短い周期でセンサの信号を取り込む動作を含む概念である。第１ＢＭＵ３１は、各センサによる計測で得られた情報を含む蓄電池情報を制御装置４に送信する。
【００３０】
以上、第１ＰＣＳ１１に接続された第１の蓄電池２１および第１ＢＭＵ３１について説明したが、上述した基本構成は、第２ＰＣＳ１２に接続された第２の蓄電池２２および第２ＢＭＵ３２についても同様である。重要な相違点は、複数のＰＣＳグループのうち少なくとも１つのグループの蓄電池の寿命は、他のグループの蓄電池の寿命と異なる点である。寿命は蓄電池の仕様に基づく。寿命はサイクル数で表される場合もある。本実施の形態では、第２の蓄電池２２は、第１の蓄電池２１よりも寿命が短いものとする。
【００３１】
制御装置４は、例えばＲＯＭ、ＲＡＭ等を含むメモリ、各種情報を入出力する入出力インタフェース、各種情報に基づいて各種演算処理を実行可能なプロセッサを備える。制御装置４は、コンピュータネットワーク５１によりＥＭＳ３に、コンピュータネットワーク５３により第１ＢＭＵ３１および第２ＢＭＵ３２に、コンピュータネットワーク５２により第１ＰＣＳ１１および第２ＰＣＳ１２に接続される。
【００３２】
制御装置４は、第１ＰＣＳ１１および第２ＰＣＳ１２に対して充放電指令を出す司令塔の役割を担う。一例として、制御装置４は、ＥＭＳ３から送信された充放電要求と、第１ＢＭＵ３１および第２ＢＭＵ３２から送信された蓄電池情報を受信する。充放電要求は、第１ＰＣＳ１１および第２ＰＣＳ１２に充放電させる有効電力と無効電力に関する要求を含む。制御装置４は、充放電要求と蓄電池情報とに基づいて第１ＰＣＳ１１および第２ＰＣＳ１２に対する充放電指令（充放電量［ｋＷ］に相当する）を決定し、第１ＰＣＳ１１および第２ＰＣＳ１２に送信する。また、制御装置４は、第１ＰＣＳ１１および第２ＰＣＳ１２に対してトリップ指令を出力する機能等も備える。
【００３３】
第１ＰＣＳ１１は、変圧器を介して送電線により送電設備２に接続される。第１ＰＣＳ１１は、電力系統の交流電力を直流電力に変換して第１の蓄電池２１に充電する充電機能と、第１の蓄電池２１の直流電力を交流電力に変換して電力系統に放電する放電機能とを備える。第１の蓄電池２１への充電電力量、および、第１の蓄電池２１からの放電電力量は、第１ＰＣＳ１１によって調整される。第１ＰＣＳ１１による充放電電力量の調整は、制御装置４から供給される充放電指示に従って行われる。第２ＰＣＳ１２も第１ＰＣＳ１１と同様の機能を有する。
【００３４】
［実施の形態１の特徴的構成］
図２は、本発明の実施の形態１に係るシステムのブロック図である。図２における制御装置４を示すブロック内には、制御装置４が備える種々の機能のうちの一部がブロックで表されている。ブロックに演算資源が割り当てられている。制御装置４にはブロックに対応するプログラムが用意され、それらがプロセッサによって実行されることでブロックの機能が制御装置４において実現される。
【００３５】
（ＳＯＣ補正機能）
制御装置４はＳＯＣ補正機能を有し、その機能はＳＯＣ補正部６が受け持つ。ＳＯＣ補正部６は、蓄電池情報に基づいて第１の蓄電池２１及び第２の蓄電池２２のＳＯＣを算出し、充放電要求が充電要求である場合、第２の蓄電池２２のＳＯＣを上方に補正し、充放電要求が放電要求である場合、第２の蓄電池２２のＳＯＣを下方に補正する。
【００３６】
具体的には、ＳＯＣ補正部６は、蓄電池情報に含まれる蓄電池に流れる電流の積算値からＳＯＣを計算する。また、ＳＯＣは満充電に対する充電率を意味する。ＳＯＣ補正部６は、第１の蓄電池２１及び第２の蓄電池２２のＳＯＣを算出する。
【００３７】
さらに、ＳＯＣ補正部６は、充放電要求が充電要求である場合、第２の蓄電池２２のＳＯＣを上方に補正する。例えば、算出した第２の蓄電池のＳＯＣの値に＋αを加える。αは所定の設定値である。例えば、αは、第１の蓄電池２１と第２の蓄電池２２との寿命の差に基づいて予め設定された設定値である。また、ＳＯＣ補正部６は、充放電要求が放電要求である場合、第２の蓄電池２２のＳＯＣを下方に補正する。例えば、算出した第２の蓄電池のＳＯＣの値に−αを加える。
【００３８】
（充放電指令機能）
制御装置４は充放電指令機能を有し、その機能は充放電指令部７が受け持つ。充放電指令部７は、充放電要求が充電要求である場合、ＳＯＣが低い蓄電池から優先的に充電させ、充放電要求が放電要求である場合、ＳＯＣが高い蓄電池から優先的に放電させるように、第１ＰＣＳ１１及び第２ＰＣＳ１２に対する充放電指令を決定する。
【００３９】
具体的には、充放電要求が充電要求である場合、ＳＯＣ補正部６により第２の蓄電池２２のＳＯＣが上方に補正される。その結果、第１の蓄電池２１のＳＯＣが第２の蓄電池２２のＳＯＣよりも低い場合には、充放電指令部７では、ＳＯＣが低い第１の蓄電池２１から優先的に充電させる。そのため、第１の蓄電池２１の充電量は、第２の蓄電池２２の充電量に比して多くなる。
【００４０】
また、充放電要求が放電要求である場合、ＳＯＣ補正部６により第２の蓄電池２２のＳＯＣが下方に補正される。その結果、第１の蓄電池２１のＳＯＣが第２の蓄電池２２のＳＯＣよりも低い場合には、充放電指令部７では、ＳＯＣが高い第１の蓄電池２１から優先的に放電させる。そのため、第１の蓄電池２１の放電量は、第２の蓄電池２２の放電量に比して多くなる。
【００４１】
このように、寿命の長い第１の蓄電池２１の充放電量を増やし、寿命の短い第２の蓄電池２２の充放電量を減らすことができる。寿命の長い蓄電池に、より多くの充放電を行わせることで、各蓄電池の劣化の程度を同等にし、各蓄電池の交換時期を同時期することができる。
【００４２】
上述したＳＯＣ補正機能と充放電指令機能による具体的な制御の一例について説明する。図３は、本発明の実施の形態１においてＳＯＣ補正機能と充放電指令機能による具体的な制御例を説明するための図である。
【００４３】
図３に示す蓄電池システム１は２台のＰＣＳを備える。第１ＰＣＳ１１の最大出力は１００［ｋＷ］、第２ＰＣＳ１２の最大出力は１００［ｋＷ］である。第１ＰＣＳ１１に接続されている蓄電池モジュールの並列数は２、第２ＰＣＳ１２に接続されている蓄電池モジュールの並列数は２である。各蓄電池モジュールの最大蓄電容量は１００［ｋＷ］である。また、第１の蓄電池２１の蓄電池モジュール２１１、２１２の寿命は１００００サイクル、第２の蓄電池２２の蓄電池モジュール２２１、２２２の寿命は２０００サイクルである。
【００４４】
図３において、ＳＯＣ補正部６は、蓄電池情報に基づいて第１の蓄電池２１及び第２の蓄電池２２のＳＯＣを算出する。算出されたＳＯＣはともに５０［％］であるとする。
次に、ＳＯＣ補正部６は、充放電要求が充電要求である場合、第２の蓄電池２２のＳＯＣに＋α［％］を加える。例えば、α＝１０とする。そのため、第２の蓄電池２２の補正後のＳＯＣは６０［％］となる。そして、充放電指令部７は、ＳＯＣが低い第１の蓄電池２１から優先的に充電させるべく、ＳＯＣの低い第１の蓄電池２１への充電量を、第２の蓄電池２２への充電量よりも多く設定する。
また、ＳＯＣ補正部６は、充放電要求が充電要求である場合、第２の蓄電池２２のＳＯＣに−α［％］を加える。例えば、α＝１０とする。そのため、第２の蓄電池２２の補正後のＳＯＣは４０［％］となる。そして、充放電指令部７は、ＳＯＣの高い第１の蓄電池２１から優先的に放電させるべく、ＳＯＣが高い第１の蓄電池２１からの放電量を、第２の蓄電池２２からの放電量よりも多く設定する。
このような制御によれば、寿命の長い第１の蓄電池の充放電量を増やし、寿命の短い第２の蓄電池の充放電量を減らすことができる。
【００４５】
（フローチャート）
図４は、ＥＭＳ３からの充放電要求に基づく充放電制御を実現するために、蓄電池システム１が実行する制御ルーチンのフローチャートである。このフローチャートに示す制御装置４の処理は、ＳＯＣ補正部６および充放電指令部７の機能によって実現される処理である。制御装置４のメモリには、図４に示すフローチャートの処理を実行するプログラムが記憶されており、制御装置４のプロセッサがプログラムを読み出して、実行することにより図４に示す処理が実現される。
【００４６】
図４に示すルーチンでは、まず、ＥＭＳ３は、電力系統における電力の需要と供給とをバランスさせるように蓄電池システム１に対する充放電要求を決定する（ステップＳ１０１）。ＥＭＳ３は、決定した充放電要求を制御装置４に送信する（ステップＳ１０２）。
【００４７】
第１のＰＣＳグループでは、第１ＢＭＵ３１が各種センサを用いて蓄電池情報を常時取得する（ステップＳ３０１）。その後、第１ＢＭＵ３１は、取得した蓄電池情報を制御装置４に送信する（ステップＳ３０２）。
【００４８】
第２のＰＣＳグループでは、第２ＢＭＵ３２が各種センサを用いて蓄電池情報を常時取得する（ステップＳ４０１）。第２のＰＣＳグループは、第２ＰＣＳ１２、第２の蓄電池２２、第２ＢＭＵ３２を含むグループである。その後、第２ＢＭＵ３２は、取得した蓄電池情報を制御装置４に送信する（ステップＳ４０２）。
【００４９】
制御装置４は、ＥＭＳ３から送信された充放電要求を受信する（ステップＳ２０１）。また、制御装置４は、第１のＰＣＳグループの第１ＢＭＵ３１から送信された蓄電池情報を受信する（ステップＳ２０２）。同様に、制御装置４は、第２のＰＣＳグループの第２ＢＭＵ３２から送信された蓄電池情報を受信する（ステップＳ２０３）。
【００５０】
制御装置４は、ステップＳ２０４において受信した充放電要求と、ステップＳ２０２、Ｓ２０３において受信した蓄電池情報に基づいて、第１の蓄電池２１のＳＯＣと、第２の蓄電池２２の補正後のＳＯＣを算出する（ステップＳ２０４）。ステップＳ２０４で実行されるＳＯＣの算出の方法は、ＳＯＣ補正機能の説明において述べたとおりである。
【００５１】
その後、制御装置４は、第１ＰＣＳ１１及び第２ＰＣＳ１２に対する充放電指令を決定する（ステップＳ２０５）。ステップＳ２０５で実行される充放電指令の決定の方法は、充放電指令機能の説明において述べたとおりである。
【００５２】
その後、制御装置４は、第１のＰＣＳグループに対する充放電指令を第１ＰＣＳ１１に送信する（ステップＳ２０６）。同様に、制御装置４は、第２のＰＣＳグループに対する充放電指令を第２ＰＣＳ１２に送信する（ステップＳ２０７）。
【００５３】
第１のＰＣＳグループでは、第１ＰＣＳ１１が制御装置４から送信された充放電指令を受信する（ステップＳ３０３）。第１ＰＣＳ１１は、充放電指令に従って充放電操作を実行する（ステップＳ３０４）。
【００５４】
同様に、第２のＰＣＳグループでは、第２ＰＣＳ１２が制御装置４から送信された充放電指令を受信する（ステップＳ４０３）。第２ＰＣＳ１２は、充放電指令に従って充放電操作を実行する（ステップＳ４０４）。
【００５５】
以上説明したように、本実施の形態の蓄電池システム１によれば、ＰＣＳ間で蓄電池の寿命が異なる蓄電池システムにおいて、寿命の長い蓄電池にはより多くの充放電を行わせ、各蓄電池の交換時期が同時期になるように充放電を管理することができる。そのため、蓄電池システム１は、寿命が異なる蓄電池を用いうる点で拡張性が高く、かつ交換時期まで最大充放電量で運用できるため安定性が高い。
【００５６】
（変形例）
ところで、図１のシステム構成においては、制御装置４を蓄電池システム１に１つ配置することとしているが、その配置はこれに限定されるものではない。図５は、本発明の実施の形態１に係るシステム構成の変形例について説明するための概念構成図である。図５に示すように、１つのＰＣＳグループに１つの制御装置を配置することとしてもよい。図５に示す主制御装置４１は、ＥＭＳ３から充放電要求を受信し、第１ＢＭＵ３１から蓄電池情報を受信し、従制御装置４２から第２ＢＭＵ３２が送信した蓄電池情報を受信する。主制御装置４１は、上述したＳＯＣ補正機能および充放電指令機能を用いて各ＰＣＳに対する充放電指令を決定する。主制御装置４１は、第１ＰＣＳ１１に対する充放電指令を第１ＰＣＳ１１に送信すると共に、第２ＰＣＳ１２に対する充放電指令を従制御装置４２に送信する。従制御装置４２は、第２ＰＣＳ１２に対する充放電指令を第２ＰＣＳ１２に出力する。
【符号の説明】
【００５７】
１  蓄電池システム
２  送電設備
３  エネルギーマネジメントシステム（ＥＭＳ）
４  制御装置
６  ＳＯＣ補正部
７  充放電指令部
１１  第１交直変換装置（第１ＰＣＳ）
１２  第２交直変換装置（第２ＰＣＳ）
２１  第１の蓄電池
２２  第２の蓄電池
３１  第１蓄電池監視装置（第２ＢＭＵ）
３２  第２蓄電池監視装置（第２ＢＭＵ）
４１  主制御装置
４２  従制御装置
５１、５２、５３  コンピュータネットワーク
２１１〜２１３、２２１〜２２３  蓄電池モジュール
【図１】
2016067341.tif 000003
【図２】
2016067341.tif 000004
【図３】
2016067341.tif 000005
【図４】
2016067341.tif 000006
【図５】
2016067341.tif 000007
【国際調査報告】
2016067341.tif 000008
2016067341.tif 000009